(57)【要約】【課題】表示装置の前面枠に透明素材の保護板を取り付けた場合に、表示面からの発熱を保護板の外側に効率的に排出する。【解決手段】表示装置１の前面枠２に取付け可能な透明素材の保護板３であって、前記前面枠２との当接面に断面凹形状の通気用溝４〜９を形成する。また、前記通気用溝４〜９は、前記保護板３が前記前面枠２に当接する上部分と下部分にそれぞれ上下方向に形成される。さらには、前記保護板３の前面外周部には少なくとも前記通気用溝の領域を覆う印刷１０を施す。また、前記保護板３と前記前面枠２はビス止め及び又は両面テープで固定する。【選択図】  図１
2005005497.tif 000002
【特許請求の範囲】
【請求項１】
表示装置の前面枠に取付け可能で、少なくとも該表示装置の表示領域に相対する部分が透明素材の保護板であって、前記前面枠との当接面に断面凹形状の通気用溝を形成したことを特徴とする保護板。
【請求項２】
前記通気用溝は、前記保護板が前記前面枠に当接する上部分と下部分にそれぞれ上下方向に形成されたことを特徴とする請求項１に記載の保護板。
【請求項３】
前記保護板の前面外周部には少なくとも前記通気用溝の領域を覆う印刷が施されていることを特徴とする請求項１または２に記載の保護板。
【請求項４】
前記保護板と前記前面枠はビス止め及び又は両面テープで固定されることを特徴とする請求項１乃至３のいずれかに記載の保護板。
【請求項５】
請求項１乃至４のいずれかに記載の保護板を有することを特徴とする薄型表示装置。
【発明の詳細な説明】
【０００１】
【発明の属する技術分野】
本発明は、テレビやモニタなどのような情報を表示する表示デバイスを有する表示装置に関し、特に表示デバイスが温度特性を有する薄型表示装置に効果的な技術である。
【０００２】
【従来の技術】
表示装置の画面上への異物付着は、場合によっては画像品位への影響もあるため、表示装置の画面前方に保護板を設けることがしばしば行われていた。保護板を設ける従来の技術として、例えば特許文献１が開示されている。特許文献１を図７、図８と共に説明する。図７は収納式液晶表示装置の断面図であり、図８は図７のＡ部の拡大断面図である。特許文献１においては、図７および図８に示すように、前面に表示器を収納する開口部を有する筐体２１と、表示板３２を有し、この表示板３２が前方を向く姿勢で上記開口部から筐体２１内に挿通固着される表示器３０と、表示板３２を覆う透明の保護板３３と、この保護板３３を介して表示板３２を視認するための窓部２４ａを有し、筐体２１の開口部をフロントパネル２４とを備えた装置において、表示板３２とこの表示板３２を覆う保護板３３との間の空間ＳＰが密閉されるように保護板３３を表示器３０に取り付ける取付け機構３４，３５を備え、表示器３０が筐体２１内に組み込まれる前に取付け機構３４，３５を介して保護板３３が表示器３０に取り付けられている。以上により、表示板３２と保護板３３との間の空間ＳＰは密閉されているので、表示器３０を筐体２１に組み込む作業をクリーンルームなどで行わなくても表示板３２に塵埃が付着することがなく、また表示板３２に指などが触れることもないため、表示板３２の表面を保護できるという提案である。
【０００３】
また、他の例として、図９および図１０に示すものがある。これは液晶テレビ４１の前面に透明材からなる保護板４２を取り付けたものであり、保護板４２はバンド４３により液晶テレビ４１に取り付けられる。また、保護板４２の外周部にはアルミ製の枠４４が嵌着され、その枠４４の背面側（液晶テレビ４１側）には、発泡材等からなる緩衝帯４５が全周に貼着されている。その結果、保護板４２は、その外周の背面側部分で緩衝帯４５を介して液晶テレビ４１の外枠４６部分に密着して取り付けられることになり、液晶テレビ４１の表示面と保護板４２との間に形成される空間は密閉されることになる。
【０００４】
【特許文献１】
特開平０８−６２５８７号公報
【０００５】
【発明が解決しようとする課題】
しかしながら、従来例の前者の場合は、表示板３２とこの表示板３２を覆う保護板３３との間の空間ＳＰが密閉されるよう保護板３３を表示器３０に取り付ける取付け機構３４、３５を備え、表示器３０が筐体２１内に組み込まれる前に取付け機構３４、３５を介して保護板３３を表示器３０に取り付けられているので、表示板３２が発する熱を保護板３３の外へ逃がすことができない。このように完全密閉されて放熱ができないと、表示器３０自体が温度上昇し、保護板３３の材質によっては変形を生じることもあり、また表示器３０自体の動作の信頼性が低下する場合もある。また、従来例の後者の場合も、保護板４２と液晶テレビ４１の間の空間が緩衝帯４５により密閉されるため、放熱ができずに同様に温度上昇するという問題を抱えている。そこで本発明は、表示器前面に保護板を取り付ける際に、表示器前面を完全に密閉することなく、放熱できる保護板取付け構造を提案することを目的とする。
【０００６】
【課題を解決するための手段】
上記課題を解決するために、本発明は、表示装置の前面枠に取付け可能で、少なくとも該表示装置の表示領域に相対する部分が透明素材の保護板であって、前記前面枠との当接面に断面凹形状の通気用溝を形成する。また、前記通気用溝は、前記保護板が前記前面枠に当接する上部分と下部分にそれぞれ上下方向に形成される。さらには、前記保護板の前面外周部には少なくとも前記通気用溝の領域を覆う印刷を施す。また、前記保護板と前記前面枠はビス止め及び又は両面テープで固定する。これら保護板は薄型表示装置への取付けが可能である。
【０００７】
【発明の実施の形態】
以下、図に基づいて本発明の実施形態を説明する。
図１は本発明の第１の実施形態に係る保護板とそれが取り付けられる薄型表示装置を示す斜視図であり、図２は図１のＡ−Ａ線断面図およびその一部拡大図である。図示されるように、薄型表示装置１には、その前面枠２部分と同じ大きさの透明材からなる保護板３が取り付けられる。保護板３の裏面の周縁部分の上部と下部には、断面凹形状の通気用溝４〜９が上下方向に形成されている。さらに、保護板３の表面の周縁部分には、通気用溝４〜９が表面側から見えないように、シルク印刷１０が施されている。なお、シルク印刷１０のかわりに帯電防止フィルムを貼り付けても良い。保護板３の薄型表示装置１への取付けは両面テープを用いている。このようにして薄型表示装置１へ取り付ける保護板３の裏面の上下部分に通気用溝４〜９が形成されたことで、薄型表示装置１の表示面からの発熱により、保護板３の内側の空気が暖められると、暖められた空気は対流を起こして上部の通気用溝４〜６から外部へ排出されるとともに、下部の通気用溝７〜９から外気が供給されるようになる。その結果、保護板３の内側は一定温度以下に保たれて、保護板３が加熱変形されることが解消される。また、温度特性を有する薄型表示装置１にとっても良好な温度環境が得られる。
【０００８】
図３は本発明の第２の実施形態に係る保護板とそれが取り付けられる薄型表示装置を示す斜視図であり、図４は図３のＢ−Ｂ線断面図およびその一部拡大図である。図示されるように、薄型表示装置１１には、その前面枠１２部分と同じ大きさの透明材からなる保護板１３が取り付けられる。保護板１３の裏面の周縁部分の上部と下部には、断面凹形状の通気用溝１４〜１９が上下方向に形成されている。この通気用溝１４〜１９の長さは、前面枠１２の幅よりもやや長く形成されている。さらに、保護板１３の表面の周縁部分には、通気用溝１４〜１９が表面側から見えないように、シルク印刷２０が施されている。なお、シルク印刷２０のかわりに帯電防止フィルムを貼り付けても良い。保護板１３の薄型表示装置１１への取付けは両面テープを用いている。このようにして薄型表示装置１１へ取り付ける保護板１３の裏面の上下部分に通気用溝１４〜１９が形成されたことで、薄型表示装置１１の表示面からの発熱により、保護板１３の内側の空気が暖められると、暖められた空気は対流を起こして上部の通気用溝１４〜１６から外部へ排出されるとともに、下部の通気用溝１７〜１９から外気が供給されるようになる。その結果、保護板１３の内側は一定温度以下に保たれて、保護板１３が加熱変形されることが解消される。また、温度特性を有する薄型表示装置１１にとっても良好な温度環境が得られる。
【０００９】
図５は本発明の第３の実施形態に係る保護板とそれが取り付けられる薄型表示装置を示す斜視図であり、図６は図５のＣ−Ｃ線断面図およびその一部拡大図である。図示されるように、薄型表示装置２１には、その前面枠２２部分と同じ大きさの透明材からなる保護板２３が取り付けられる。保護板２３の裏面の周縁部分の上部と下部には、断面凹形状の通気用溝２４〜２９が上下方向に形成されている。この通気用溝２４〜２９の長さは、前面枠２２の幅よりもやや長く形成されている。さらに、保護板２３の表面の周縁部分には、通気用溝２４〜２９が表面側から見えないように、シルク印刷５０が施されている。なお、シルク印刷５０のかわりに帯電防止フィルムを貼り付けても良い。保護板２３の薄型表示装置２１への取付けは、保護板２３の上下端に形成されたビス孔５１〜５６から化粧ビス５７，５８を挿入して、前面枠２２に形成されている取付け穴５９に螺着することによりなされている。このようにして薄型表示装置２１へ取り付ける保護板２３の裏面の上下部分に通気用溝２４〜２９が形成されたことで、薄型表示装置２１の表示面からの発熱により、保護板２３の内側の空気が暖められると、暖められた空気は対流を起こして上部の通気用溝２４〜２６から外部へ排出されるとともに、下部の通気用溝２７〜２９から外気が供給されるようになる。その結果、保護板２３の内側は一定温度以下に保たれて、保護板２３が加熱変形されることが解消される。また、温度特性を有する薄型表示装置２１にとっても良好な温度環境が得られる。なお、上述した実施形態では、保護板の薄型表示装置への取付けに両面テープまたはビスを用いていたが、バンドを用いることも可能である。
【００１０】
【発明の効果】
以上述べたように本発明によれば、表示装置の前面枠に取り付けられる透明素材の前記前面枠との当接面に断面凹形状の通気用溝を形成したことことで、表示装置の前面からの発熱が対流により通気用溝を通過して外部に排出されて、表示面および保護板の温度上昇が抑えられる。
【図面の簡単な説明】
【図１】本発明の第１の実施形態に係る保護板とそれが取り付けられる薄型表示装置を示す斜視図である。
【図２】図１のＡ−Ａ線断面図およびその一部拡大図である。
【図３】本発明の第２の実施形態に係る保護板とそれが取り付けられる薄型表示装置を示す斜視図である。
【図４】図３のＢ−Ｂ線断面図およびその一部拡大図である。
【図５】本発明の第３の実施形態に係る保護板とそれが取り付けられる薄型表示装置を示す斜視図である。
【図６】図５のＣ−Ｃ線断面図およびその一部拡大図である。
【図７】従来例の収納式液晶表示装置の断面図である。
【図８】図７のＡ部の拡大断面図である。
【図９】従来例の斜視図である。
【図１０】図９のＤ−Ｄ線断面図およびその一部拡大図である。
【符号の説明】
１  薄型表示装置
２  前面枠
３  保護板
４〜９  通気用溝
１０  シルク印刷
１１  薄型表示装置
１２  前面枠
１３  保護板
１４〜１９  通気用溝
２０  シルク印刷
２１  薄型表示装置
２２  前面枠
２３  保護板
２４〜２９  通気用溝
５０  シルク印刷
５１〜５６  ビス孔
５７，５８  化粧ビス
５９  取付け穴
【図１】
2005005497.tif 000003
【図２】
2005005497.tif 000004
【図３】
2005005497.tif 000005
【図４】
2005005497.tif 000006
【図５】
2005005497.tif 000007
【図６】
2005005497.tif 000008
【図７】
2005005497.tif 000009
【図８】
2005005497.tif 000010
【図９】
2005005497.tif 000011
【図１０】
2005005497.tif 000012